(57)【要約】【課題】リンク先のＷｅｂページを閲覧する際に、簡便な操作で効率よく閲覧することを支援できるＷｅｂページの閲覧支援プログラム、装置及び方法を提供すること。【解決手段】表示されたＷｅｂページ４０に設けられたリンク情報を予め抽出しておき、当該Ｗｅｂページ４０における操作デバイスポインタの位置に応じて、その位置に対応するリンク情報が示すリンク先のＷｅｂページ又はリンク先ページの要約情報のいずれかを当該Ｗｅｂページに重畳するように合成して表示する。【選択図】図１
2011070380.tif 000002
【特許請求の範囲】
【請求項１】
Ｗｅｂページのリンク情報を抽出する閲覧支援プログラムであって、
コンピュータを、
前記リンク情報及び前記リンク情報のＷｅｂページ内での位置情報を抽出するリンク情報抽出手段、
前記リンク情報に基づいてリンク先情報を取得するリンク先情報取得手段、
前記コンピュータの操作デバイスポインタの位置に対応する前記位置情報のリンク情報が示すリンク先のＷｅｂページ又は前記リンク先のＷｅｂページの要約情報のいずれかを表示内容として決定する表示内容決定手段、
前記決定された表示内容の情報を、前記Ｗｅｂページの一部分に重畳するように合成して表示させる画像合成手段、
として機能させるための閲覧支援プログラム。
【請求項２】
前記表示内容決定手段は、前記操作デバイスポインタの位置から所定距離の範囲内に含まれる複数のリンク情報について、前記表示内容を決定し、
前記画像合成手段は、前記表示内容決定手段が決定した前記複数のリンク情報それぞれに対応する複数の前記表示内容の情報を、前記Ｗｅｂページに重畳するように合成して同時に表示させる請求項１に記載の閲覧支援プログラム。
【請求項３】
前記画像合成手段は、前記決定された表示内容の情報を、前記Ｗｅｂページの一部分に重畳するように、かつ合成された状態でも重畳されたＷｅｂページの当該一部分を視認可能に透過性を有するように合成して表示させる請求項１又は２に記載の閲覧支援プログラム。
【請求項４】
コンピュータにより、リンク情報を有するＷｅｂページを表示装置に表示させてユーザに閲覧させる閲覧支援方法であって、
リンク情報抽出手段が、前記リンク情報及び前記リンク情報の当該Ｗｅｂページでの位置情報を抽出するステップ、
リンク先情報取得手段が、前記リンク情報に基づいてリンク先情報を取得するステップ、
表示内容決定手段が、前記コンピュータの操作デバイスポインタの位置に対応する前記位置情報のリンク情報が示すリンク先のＷｅｂページ又は前記リンク先のＷｅｂページの要約情報のいずれかを表示内容として決定するステップ、
画像合成手段が、前記表示内容決定手段が決定したリンク情報に対応する前記表示内容の情報を、前記Ｗｅｂページに重畳するように合成して同時に表示させるステップ、を含む閲覧支援方法。
【請求項５】
Ｗｅｂページのリンク情報を抽出する閲覧支援装置であって、
前記リンク情報及び当該Ｗｅｂページにおける前記リンク情報の位置情報を抽出するリンク情報抽出手段と、
前記リンク情報に基づいてリンク先情報を取得するリンク先情報取得手段と、
操作デバイスポインタの位置に対応する前記位置情報のリンク情報が示すリンク先のＷｅｂページ又は前記リンク先のＷｅｂページの要約情報のいずれかを表示内容として決定する表示内容決定手段と、
前記表示内容決定手段が決定したリンク情報に対応する前記表示内容の情報を、前記Ｗｅｂページに重畳するように合成して同時に表示させる画像合成手段と、を有する閲覧支援装置。
【発明の詳細な説明】
【技術分野】
【０００１】
本発明は、リンク情報を有するＷｅｂページの閲覧支援プログラム、装置及び方法に関する。
【背景技術】
【０００２】
従来、あるＷｅｂページを閲覧しようとする場合、閲覧したいＷｅｂページのＵＲＬ（Uniform  Resource  Locator）をＷｅｂブラウザの入力欄に入力して指定したり、何らかのＷｅｂページを表示させ、そのＷｅｂページに設定されたリンクを辿って目的のＷｅｂページを表示させることが多い。
しかし、リンク先のＷｅｂページに示されたコンテンツが必ずしもユーザが求めるものとは限らず、ユーザにとって不要なＷｅｂページを表示させた場合、これを閉じたり、元のＷｅｂページに戻ったりという操作が必要となる。
そこで、リンク先のＷｅｂページを表示させなくても、リンクにマウスカーソルなどを合わせるだけでそのリンクに関する情報を表示させる方法が開示されている（例えば、特許文献１参照）。
【先行技術文献】
【特許文献】
【０００３】
【特許文献１】特開２０００−２７６４７１号公報
【発明の概要】
【発明が解決しようとする課題】
【０００４】
特許文献１では、あるＷｅｂページのリンクに対し、マウスなどのポインタで指示を与えるとそのリンク先の情報の概要がポップアップ表示されることが記載されている。
しかし、概要だけでは、必ずしもユーザが求めるコンテンツがリンク先のＷｅｂページに存在するか否かについて判断できるとは限らず、表示された概要がリンク先のＷｅｂページの内容を示していない場合には、リンク先のＷｅｂページを表示させる操作が無駄となる。
【０００５】
そこで、本発明は、リンク先のＷｅｂページを閲覧する際に、簡便な操作で効率よく閲覧することを支援することができるＷｅｂページの閲覧支援プログラム、装置及び方法を提供することを目的とする。
【課題を解決するための手段】
【０００６】
（１）Ｗｅｂページのリンク情報を抽出する閲覧支援プログラムであって、コンピュータを、前記リンク情報及び前記リンク情報のＷｅｂページ内での位置情報を抽出するリンク情報抽出手段、前記リンク情報に基づいてリンク先情報を取得するリンク先情報取得手段、前記コンピュータの操作デバイスポインタの位置に対応する前記位置情報のリンク情報が示すリンク先のＷｅｂページ又は前記リンク先のＷｅｂページの要約情報のいずれかを表示内容として決定する表示内容決定手段、前記決定された表示内容の情報を、前記Ｗｅｂページの一部分に重畳するように合成して表示させる画像合成手段、として機能させるための閲覧支援プログラム。
【０００７】
（１）に記載の発明によれば、表示されたＷｅｂページに設けられたリンク情報を予め抽出しておき、当該Ｗｅｂページにおける操作デバイスポインタの位置に応じて、その位置に対応するリンク情報が示すリンク先のＷｅｂページ（以下、リンク先ページと表記する）又はリンク先ページの要約情報のいずれかを当該Ｗｅｂページに重畳するように合成して表示することができる。このため、リンク情報をクリックしてリンク先ページに移動することなくユーザがリンク先ページの内容を確認することができる。
【０００８】
（２）前記表示内容決定手段は、前記操作デバイスポインタの位置から所定距離の範囲内に含まれる複数のリンク情報について、前記表示内容を決定し、前記画像合成手段は、前記表示内容決定手段が決定した前記複数のリンク情報それぞれに対応する複数の前記表示内容の情報を、前記Ｗｅｂページに重畳するように合成して同時に表示させる（１）に記載の閲覧支援プログラム。
【０００９】
（２）に記載の発明によれば、操作デバイスポインタの位置から所定距離の範囲内に含まれる複数のリンク情報について、同時にそのリンク先ページ又は要約情報を合成して表示させることができる。
【００１０】
（３）前記画像合成手段は、前記決定された表示内容の情報を、前記Ｗｅｂページの一部分に重畳するように、かつ合成された状態でも重畳されたＷｅｂページの当該一部分を視認可能に透過性を有するように合成して表示させる（１）又は（２）に記載の閲覧支援プログラム。
【００１１】
（３）に係る発明によれば、Ｗｅｂページに重畳して表示される表示内容の情報はＷｅｂページの一部分に重畳すると共に、合成された状態でも当該一部分を視認可能に透過性を有するので、現在表示させているＷｅｂページも合わせて視認することができる。このため、Ｗｅｂページに重畳して表示されたリンク先ページ又は要約情報と共にＷｅｂページの内容も確認できるので、閲覧性を確保することができる。
【００１２】
（４）コンピュータにより、リンク情報を有するＷｅｂページを表示装置に表示させてユーザに閲覧させる閲覧支援方法であって、リンク情報抽出手段が、前記リンク情報及び前記リンク情報の当該Ｗｅｂページでの位置情報を抽出するステップ、リンク先情報取得手段が、前記リンク情報に基づいてリンク先情報を取得するステップ、表示内容決定手段が、前記コンピュータの操作デバイスポインタの位置に対応する前記位置情報のリンク情報が示すリンク先のＷｅｂページ又は前記リンク先のＷｅｂページの要約情報のいずれかを表示内容として決定するステップ、画像合成手段が、前記表示内容決定手段が決定したリンク情報に対応する前記表示内容の情報を、前記Ｗｅｂページに重畳するように合成して同時に表示させるステップ、を含む閲覧支援方法。
【００１３】
（５）Ｗｅｂページのリンク情報を抽出する閲覧支援装置であって、前記リンク情報及び当該Ｗｅｂページにおける前記リンク情報の位置情報を抽出するリンク情報抽出手段と、前記リンク情報に基づいてリンク先情報を取得するリンク先情報取得手段と、操作デバイスポインタの位置に対応する前記位置情報のリンク情報が示すリンク先のＷｅｂページ又は前記リンク先のＷｅｂページの要約情報のいずれかを表示内容として決定する表示内容決定手段と、前記表示内容決定手段が決定したリンク情報に対応する前記表示内容の情報を、前記Ｗｅｂページに重畳するように合成して同時に表示させる画像合成手段と、を有する閲覧支援装置。
【００１４】
（４）及び（５）に記載された発明によれば、（１）に記載された発明と同様の効果を奏することができる。
【発明の効果】
【００１５】
本発明によれば、リンク先のＷｅｂページを閲覧する際に、簡便な操作で効率よく閲覧することを支援することができるＷｅｂページの閲覧支援プログラム、装置及び方法を提供することができる。
【図面の簡単な説明】
【００１６】
【図１】本発明の実施形態に係るシステムの関係を示すと共にユーザ端末の機能構成を示す図である。
【図２】本発明の実施形態に係る要約情報テーブルを示す図である。
【図３】本発明の実施形態に係る表示例を示す図である。
【図４】本発明の実施形態に係るユーザ端末における処理を示すフローチャートである。
【図５】本発明の実施形態に係るＷｅｂページ（元ページ）とＦｌａｓｈ画像ページとの表示態様を示す図である。
【図６】本発明の実施形態に係る表示例を示す図である。
【発明を実施するための形態】
【００１７】
以下、本発明の実施形態について図面に基づいて説明する。なお、以下に説明する実施形態は、あくまでも一例であって、本発明の技術的範囲はこれに限られるものではない。
【００１８】
図１から図３を参照して、本発明の実施形態に係るシステムＳについて説明する。図１は、本発明の実施形態に係るユーザ端末１の機能構成図及びユーザ端末１とＷｅｂサーバ２及びコンテンツサーバ３の関係を示した図である。図２は、要約情報テーブルを示す図である。図３は、表示例を示す図である。
【００１９】
システムＳは、少なくともユーザ端末１、Ｗｅｂサーバ２、コンテンツサーバ３、リンク先Ｗｅｂサーバ４及び通信ネットワークＮにより構成される。図１では、Ｗｅｂサーバ２、コンテンツサーバ３及びリンク先Ｗｅｂサーバ４はそれぞれ単一で記載されているが、複数であってもよい。
【００２０】
ユーザ端末１は、Ｗｅｂブラウザにより通信ネットワークＮを介してＷｅｂサーバ２に接続し、ＨＴＭＬ（HyperText  Markup  Language）言語やＸＭＬ（eXtensible  Markup  Language）言語等で記述されたＷｅｂページの情報をダウンロードする。そしてこれらの言語を解析して、表示する端末である。ユーザ端末１としては、例えば、パーソナルコンピュータ（ＰＣ）、携帯電話機、ＰＤＡ（Personal  Digital  Assistants）等の、通信機能を有する情報端末を挙げることができる。
【００２１】
Ｗｅｂサーバ２は、ユーザ端末１からの接続要求に応じてＷｅｂサーバ２に記憶されているＷｅｂページやその他各種プログラム、その他のデータ等を接続要求を受けたユーザ端末１に送信する。各種プログラムとしては、例えば、スクリプトプログラムやＦｌａｓｈファイルなどを挙げることができる。
【００２２】
コンテンツサーバ３は、要約ＤＢ３１を有しており、ユーザ端末１からの要求に応じて後述する要約情報を、要求を受けたユーザ端末１に送信する。要約ＤＢ３１は、要約情報を記憶するデータベースである。
【００２３】
ここで、図２を参照して要約ＤＢ３１に記憶されている要約情報テーブルについて説明する。要約情報テーブルは、ユーザ端末１において表示されるＷｅｂページに重畳して表示される要約情報が格納されるテーブルである。
【００２４】
要約情報テーブルは、リンク先ページのアドレスと、要約情報とがそれぞれ関連付けられている。この要約情報は、一つのアドレスに対して一つとは限らず複数あってもよい。本実施形態では一つのアドレスに対して２つの要約情報が格納されている。第１の要約情報（要約情報テーブルでは「要約情報１」）は、数行で簡潔に記載されたものであり、第２の要約情報（要約情報テーブルでは「要約情報２」）は、第１の要約情報よりも詳細な内容を示す要約情報が記憶されている。
【００２５】
図１に戻って、リンク先Ｗｅｂサーバ４は、ユーザ端末１がＷｅｂサーバ２からダウンロードしたＷｅｂページにおいて設けられたリンク情報が示すリンク先のサーバである。なお、リンク情報が同じＷｅｂサーバ２に記憶されたＷｅｂページをリンク先としている場合は、Ｗｅｂサーバ２とリンク先Ｗｅｂサーバ４とは同一であってもよい。
【００２６】
以下にユーザ端末１の各機能構成について説明する。
ユーザ端末１は、制御部１０と、表示装置としてのディスプレイ１１と、制御部１０が適宜読み出して実行するプログラムや各種データを記憶する記憶部１２と、ユーザが操作する操作デバイス１３と、を備える。
【００２７】
制御部１０は、ユーザ端末１における各種処理を制御する制御部であり、リンク情報抽出手段１０１と、リンク先ページ先読み手段１０２と、要約情報取得手段１０３と、表示内容決定手段１０４と、画像テキスト合成手段１０５と、を備える。
【００２８】
リンク情報抽出手段１０１は、ＷｅｂブラウザによりＷｅｂサーバ２からダウンロードされたＷｅｂページ（以下、元ページと表記する）の内容を解析する。詳細には、元ページがリンク情報を含むか否か、また、リンク情報を含む場合に、当該元ページに配置されるリンク情報の位置情報を抽出する。そして、リンク情報抽出手段１０１は、解析の結果得られたリンク情報及びリンク情報の位置情報を、それぞれリンク先ページ先読み手段１０２、要約情報取得手段１０３及び表示内容決定手段１０４にそれぞれ出力する。
【００２９】
リンク先ページ先読み手段１０２は、リンク情報抽出手段１０１からリンク情報が出力されたことに応じて、リンク情報が示すリンク先ページの情報を先読みする。詳細には、リンク情報が示すリンク先ページを記憶するリンク先Ｗｅｂサーバ４に接続し、リンク先Ｗｅｂサーバ４に記憶されたリンク先ページの情報を取得する。
この先読みについては、例えば、ＤＨＴＭＬ（Dynamic  HTML）とＪａｖａＳｃｒｉｐｔ（登録商標）を活用したＡｊａｘ（Asynchronous  JavaScript  +  XML）等を用いることにより行うことができる。詳細には、元ページをディスプレイ１１に表示させると共に、リンク情報抽出手段１０１が元ページ内のリンク情報を出力し、先読み指令を出力する。そして、リンク先ページ先読み手段１０２は、先読み対象となったリンク情報が示すリンク先ページについて、操作デバイス１３による選択操作の有無にかかわらずバックグラウンドで読み込み要求を行い、リンク先Ｗｅｂサーバ４から該当するリンク先ページをダウンロードする。これにより、データ読み込みとデータの表示を非同期化させることにより、元ページを迅速に表示させつつ、予めリンク先情報を読み込んでおき、操作デバイス１３の操作に応じて迅速にリンク情報を表示させることができる。
【００３０】
要約情報取得手段１０３は、リンク情報抽出手段１０１からリンク情報が出力されたことに応じて、要約情報を先読みして取得する。詳細には、コンテンツサーバ３に接続して、リンク情報が示すリンク先ページのアドレスに対応する要約情報をダウンロードする。要約情報を取得する場合においても、上述のように例えばＡｊａｘ技術等を用いることにより行うことができる。
リンク先ページ先読み手段１０２及び要約情報取得手段１０３でリンク先情報を取得するリンク先情報取得手段を構成する。
【００３１】
表示内容決定手段１０４は、元ページと共にディスプレイ１１に表示させる表示内容を決定する。詳細には、元ページ内にリンク情報が複数ある場合に、どのリンク情報に関するリンク先ページ又は要約情報（以下、リンク先情報と表記する）を表示するかを決定する。どのリンク情報に関するかについては、操作デバイス１３により操作されるデバイスポインタの位置に応じて決定される。本実施形態では、表示内容決定手段１０４は、元ページ内における、マウスなどの操作デバイス１３の動きに対応して画面内を移動するデバイスポインタの位置を監視し、デバイスポインタの位置から所定距離の範囲内にリンク情報がある場合に、そのリンク情報に関するリンク先情報の表示内容を決定する処理を行う。
【００３２】
ここで、表示内容決定手段１０４は、表示内容切替手段１４１、表示可能枠形切替手段１４２及び表示可能枠寸法切替手段１４３を備える。
【００３３】
表示内容切替手段１４１は、操作デバイス１３の操作に応じて移動するデバイスポインタの位置に応じて、元ページと共にディスプレイ１１に表示させるリンク先情報の表示内容を切り替える。本実施形態では、リンク先情報としては、第１の要約情報、第２の要約情報及びリンク先ページの３種類あり、これらを互いに切り替える。また、特に指定のない場合には第１の要約情報が最初に表示されるものとする。表示内容を切り替える処理は、操作デバイス１３の操作に応じて行われる。詳細は後述する。
【００３４】
表示可能枠形切替手段１４２は、操作デバイス１３の操作に応じて表示可能枠の形状を切り替える手段である。表示可能枠は、あるリンク情報がデバイスポインタの位置から所定距離の範囲内であるか否かを判断する際の境界線（例えば、図３のレンズシンボル５０の枠）をいう。表示可能枠形切替手段１４２は、その表示可能枠の形状を切り替えることができる。表示可能枠の形状は、例えば、長方形、正方形及び丸形等を挙げることができる。本実施形態では、特に指定のない場合には、表示可能枠は最初は長方形であるものとする。表示可能枠の形状を切り替える処理は、操作デバイス１３の操作に応じて行われる。詳細は後述する。
【００３５】
表示可能枠寸法切替手段１４３は、操作デバイス１３の操作に応じて表示可能枠の大きさを切り替える手段である。本実施形態では、表示可能枠の大きさは、大、中、小の３段階で切替可能であるとする。また、特に指定のない場合には、表示可能枠の大きさは、最初は中の大きさであるとする。表示可能枠の大きさを切り替える処理は、操作デバイス１３の操作に応じて行われる。詳細は後述する。
【００３６】
このように、表示内容決定手段１０４は、操作デバイス１３の操作に応じて表示可能枠形切替手段１４２により指定された表示可能枠の形状であり、かつ表示可能枠寸法切替手段１４３により指定された表示可能枠の大きさの範囲内にあるリンク情報について、表示内容切替手段１４１により指定された表示内容でリンク先情報を表示するように決定する。
【００３７】
画像テキスト合成手段１０５は、元ページと表示内容決定手段１０４で決定されたリンク先情報の表示内容とを合成して表示する画像合成手段である。この合成処理は、本実施形態ではＦｌａｓｈ（登録商標）により元ページと共に表示されるリンク先情報のＦｌａｓｈ画像を作成し、重ね合わせた表示態様となる。例えば、図３に示すように、元ページ４０がディスプレイ１１に表示されており、さらに、その元ページ４０に重畳するように、表示可能枠を示すレンズシンボル５０を表示する。レンズシンボル５０の枠内は透過性を有しており、重畳表示されている部分においてもレンズシンボル５０を通して元ページ４０の内容を視認することができる。
【００３８】
ディスプレイ１１は、ユーザ端末１における表示装置であり、元ページやリンク先情報を表示する。ディスプレイ１１は、例えば、液晶ディスプレイやプラズマディスプレイ等の表示装置である。
【００３９】
記憶部１２は、ユーザ端末１を動作させるための各種プログラム及びデータを記憶する。また、記憶部１２には、少なくともＷｅｂブラウザやＦｌａｓｈコンテンツをＷｅｂブラウザに表示させるためのＦｌａｓｈプレーヤが記憶されている。
Ｗｅｂブラウザは、ＨＴＭＬソースやＤＨＴＭＬソースを解析し、ＨＴＭＬソースに記載されたスクリプトや、スクリプトからＦｌａｓｈファイルを呼び出して実行し、ディスプレイ１１に表示させる。例えば、ＨＴＭＬソースにおいて＜ｓｃｒｉｐｔ＞タグにより、スクリプトファイルを呼び出して処理することができる。本実施形態ではＪａｖａＳｃｒｉｐｔ（登録商標）を使用することができる。また、ＪａｖａＳｃｒｉｐｔ（登録商標）からＦｌａｓｈファイルを呼び出してＦｌａｓｈファイルを実行し、表示内容決定手段１０４や画像テキスト合成手段１０５が行う処理を実行する。
【００４０】
操作デバイス１３は、ユーザがユーザ端末１を操作するための入力用デバイスである。例えば、マウス、キーボード及びタッチペン等を挙げることができる。
【００４１】
本実施形態のユーザ端末１のハードウェアは、一般的なコンピュータによって構成してもよい。一般的なコンピュータは、例えば、制御部１０として、中央処理装置（ＣＰＵ）を備える他、記憶部１２として、メモリ（ＲＡＭやＲＯＭ）、ハードディスク（ＨＤＤ）及び光ディスク（ＣＤやＤＶＤ等）を、ネットワーク通信装置として各種有線や無線ＬＡＮ装置を適宜備え、バスラインにより接続されている。このような一般的なコンピュータにおいて、ＣＰＵは、ユーザ端末１を統括的に制御し、各種プログラムを適宜読み出して実行することにより、上述したハードウェアと協働し、本発明に係る各種機能を実現している。また、Ｗｅｂサーバ２、コンテンツサーバ３及びリンク先Ｗｅｂサーバ４についても同様の構成を有してよい。
【００４２】
図４を参照してユーザ端末１における処理について説明する。図４は、ユーザ端末１における処理を示すフローチャートである。
【００４３】
ステップＳ１では、ユーザ端末１の制御部１０は、Ｗｅｂブラウザを起動して、Ｗｅｂサーバ２のＵＲＬ（Uniform  Resource  Locator）及びＷｅｂページ（元ページ）のファイル名を指定して、通信ネットワークＮを介してＷｅｂサーバ２に接続し、Ｗｅｂサーバ２に記憶されたＷｅｂページ（元ページ）を読み込む。そして、制御部１０は、元ページのＨＴＭＬソースを解釈して、元ページをディスプレイ１１に表示すると共に、操作デバイス１３の操作によるデバイスポインタの位置に応じて表示可能枠としてのレンズシンボル５０が重畳表示される（図３参照）。
【００４４】
ステップＳ２では、制御部１０はリンク情報抽出手段１０１が元ページを解析し、リンク情報を抽出する。また、元ページに設けられたリンク情報が元ページにおいて配置された位置情報を抽出する。そして、抽出したリンク情報及び位置情報をそれぞれリンク先ページ先読み手段１０２、要約情報取得手段１０３及び表示内容決定手段１０４に出力する。
【００４５】
ステップＳ３では、制御部１０は、リンク先ページ及び要約情報の先読みを行う。これは、制御部１０のリンク先ページ先読み手段１０２及び要約情報取得手段１０３がそれぞれ行う。リンク先ページ先読み手段１０２は、リンク情報抽出手段１０１が抽出したリンク情報に基づいて、リンク先Ｗｅｂサーバ４からリンク先ページをダウンロードし、要約情報取得手段１０３はコンテンツサーバ３から要約情報をダウンロードする。これらの処理はバックグラウンドで行われ、元ページからの画面遷移は行われない。
【００４６】
ステップＳ４では、制御部１０は、表示可能枠（レンズシンボル５０の枠）の形状及び大きさを決定する。これは、制御部１０の表示内容決定手段１０４が処理を行う。すなわち、表示内容決定手段１０４の表示可能枠形切替手段１４２及び表示可能枠寸法切替手段１４３は、表示可能枠（レンズシンボル５０の枠）の形状又は大きさについて操作デバイス１３による変更操作が行われたか否かを判別する。変更操作が行われていない場合には、表示可能枠（レンズシンボル５０の枠）は初期設定の形状及び大きさとなる。また、変更操作が行われている場合には、その操作にしたがって初期設定から表示可能枠（レンズシンボル５０の枠）の形状又は大きさについての切替処理を行う。
【００４７】
ステップＳ５では、制御部１０は、表示内容決定手段１０４により、表示可能枠（レンズシンボル５０の枠）内にリンク情報があるか否かを判別する。表示可能枠（レンズシンボル５０の枠）の範囲内にリンク情報がある場合には、ステップＳ６に移り、表示可能枠（レンズシンボル５０の枠）の範囲内にリンク情報が無い場合には、ステップＳ９に処理を移す。
【００４８】
ステップＳ６では、制御部１０は、表示内容決定手段１０４により表示内容を決定する。詳細には、表示内容決定手段１０４の表示内容切替手段１４１は、表示内容について操作デバイス１３による変更操作が行われた否かを判別する。操作デバイス１３による変更操作が行われていない場合には、表示内容は初期設定である第１の要約情報となる。また、変更操作が行われている場合には、その変更操作に応じた表示内容に決定する。
【００４９】
ステップＳ７では、制御部１０は、画像テキスト合成手段１０５により元ページに重畳してリンク先情報を表示するように合成処理を行う。この合成処理については後述する。
【００５０】
ステップＳ８では、制御部１０は、ディスプレイ１１に合成した画像を表示させる。
【００５１】
ステップＳ９では、制御部１０は、元ページの表示を終了する否かを判別する。すなわち、元ページからリンク情報を操作デバイス１３により選択することでリンク先ページに移動したり、若しくはＷｅｂブラウザの動作を終了させたりした場合、元ページの表示が終了すると判断する。元ページの表示が終了した場合、元ページにおける処理は終了する。また、元ページの処理が終了しない場合には、ステップＳ４に処理を戻す。
【００５２】
図５を参照して、図４のステップＳ７における合成処理の概要について説明する。図５は、Ｗｅｂページ（元ページ）４０とＦｌａｓｈ画像ページ７０との表示態様を示す図である。
【００５３】
本実施形態では、Ｆｌａｓｈ画像ページ７０は、レイヤーを３つ重ねた状態となっており、最も下側に配置されたＦｌａｓｈのレイヤーは、Ｆｌａｓｈで作成された透明又は半透明の画像ページである。したがって、ユーザは、透明又は半透明の画像ページを通して元ページ４０の視認が可能となる。
そして、中段に配置されたＦｌａｓｈのレイヤーには、表示可能枠となるレンズシンボル５０が設定される。また、最上段に配置されたＦｌａｓｈのレイヤーには、レンズシンボル５０を指定してＡｃｔｉｏｎＳｃｒｉｐｔが設定される。このＡｃｔｉｏｎＳｃｒｉｐｔは、元ページ４０における操作デバイス１３のデバイスポインタの座標を取得しながら、レンズシンボル５０をデバイスポインタの動きに追従して動くように設定されている。
【００５４】
また、ステップＳ７及びステップＳ８でリンク先情報を合成し、表示させる場合も、同様に、レンズシンボル５０の範囲内にあるリンク情報がある場合に、リンク先ページ先読み手段１０２や要約情報取得手段１０３が取得したリンク先情報を表示する。図５では、レンズシンボル５０の枠内に元ページ４０のリンク情報に対応するリンク先情報５１，５２が表示されている。リンク先情報５１，５２も、ある程度の透過性を有するように設定されており、元ページ４０と重畳表示された場合でも元ページ４０を視認することが可能である。
【００５５】
図６を参照して、表示例について説明する。図６は、表示例を示す図である。
【００５６】
図６（ａ）では、ステップＳ１において、ＷｅｂブラウザがＷｅｂページ（元ページ４０）をＷｅｂサーバ２から取得し、ディスプレイ１１に表示した図である。この元ページ４０には、リンクＡ４１とリンクＢ４２が設けられている。また、表示可能枠となるレンズシンボル５０に関する各種設定（枠の大きさ、形状、リンク先情報の表示内容）を操作デバイス１３の操作に応じて行うためのツールバー６０が表示されている。
【００５７】
図６（ｂ）では、元ページ４０にレンズシンボル５０が元ページ４０に重畳して表示されており、レンズシンボル５０の枠内にリンクＡ４１及びリンクＢ４２のリンク先情報５１，５２がそれぞれ表示されている。図６（ｂ）で示すリンク先情報５１，５２は、第１の要約情報である。また、レンズシンボル５０は透過性を有しているため、元ページ４０及びリンク先情報５１，５２はレンズシンボル５０から透けてリンクＡ４１及びリンクＢ４２を視認することができる。
【００５８】
また、図６（ｂ）ではツールバー６０が開いた状態となっている。ツールバー６０のボタン６１を操作デバイス１３により選択すると、開いた状態となる。ツールバー６０には、＋ボタン６２、−ボタン６３、枠変更ボタン６４及び寸法変更ボタン６５が設けられている。
【００５９】
＋ボタン６２及び−ボタン６３は、リンク先情報５１，５２の表示内容を変更するためのボタンである。＋ボタン６２を操作デバイス１３により選択すると、表示内容がより詳細なものへと変更される。本実施形態では、初期状態では、数行の要約文として第１の要約情報が表示されるようになっており（図６（ｂ））、＋ボタン６２が選択される度に第２の要約情報（詳細な要約文）から、リンク先ページの画像へと態様が変化する。逆に−ボタン６３が操作デバイス１３により選択された場合には、より簡潔なリンク先情報が表示される。例えば、リンク先ページの画像がリンク先情報として表示されていた場合であれば、−ボタン６３が操作デバイス１３により選択される度に、第２の要約情報、第１の要約情報へと態様が変更される。制御部１０は、図４のステップＳ６において、＋ボタン６２又は−ボタン６３について操作デバイス１３により選択されたか否かを判別し、操作デバイス１３の操作結果に応じて、表示内容を決定する。
【００６０】
枠変更ボタン６４は、レンズシンボル５０の枠形状を変更するためのものである。枠変更ボタン６４が操作デバイス１３により選択される度にレンズシンボル５０の枠の形状が変更される。例えば、初期状態では、図６（ｂ）に示すようにレンズシンボル５０の枠形は長方形であるが、枠変更ボタン６４が操作デバイス１３により選択される度に、レンズシンボル５０の枠の形状は、正方形、丸形、菱形へと順に変更され、菱形の状態からさらに枠変更ボタン６４が選択されると、最初の長方形へと変更される。制御部１０は、図４のステップＳ４において、枠変更ボタン６４について操作デバイス１３により選択されたか否かを判別し、操作デバイス１３の操作結果に応じて、レンズシンボル５０の枠形状を決定する。
【００６１】
寸法変更ボタン６５は、レンズシンボル５０の枠の大きさを変更するためのものである。寸法変更ボタン６５が操作デバイス１３により選択される度に、大、中、小と順に変更される。例えば、複数のリンク情報を同時に選択したくない場合には、レンズシンボル５０の枠の大きさを小とすることで、リンク情報が一つだけレンズシンボル５０の枠内に入るようにすることができる。逆に、複数のリンク情報について、まとめて概要などを得たい場合には、レンズシンボル５０の枠の大きさを中又は大としてレンズシンボル５０の枠内に複数のリンク情報が入るように調節することができる。制御部１０は、図４のステップＳ４において、寸法変更ボタン６５について操作デバイス１３により選択されたか否かを判別し、操作デバイス１３の操作結果に応じて、レンズシンボル５０の枠の大きさを決定する。
【００６２】
図６（ｃ）は、リンク先情報の表示ついての他の態様を示している。図６（ｃ）は、リンク先情報５３，５４がレンズシンボル５０の枠から飛び出すように表示されている。このように、レンズシンボル５０の枠内ではなく、枠外にリンク先情報５３，５４を表示するようにしてもよい。
【００６３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６４】
Ｎ  通信ネットワーク
１  ユーザ端末
２  Ｗｅｂサーバ
３  コンテンツサーバ
４  リンク先サーバ
１０  制御部
１１  ディスプレイ
１２  記憶部
１３  操作デバイス
４０  元ページ
５０  レンズシンボル
１０１  リンク情報抽出手段
１０２  リンク先ページ先読み手段
１０３  要約情報取得手段
１０４  表示内容決定手段
１０５  画像テキスト合成手段
１４１  表示内容切替手段
１４２  表示可能枠形切替手段
１４３  表示可能枠寸法切替手段
【図１】
2011070380.tif 000003
【図２】
2011070380.tif 000004
【図３】
2011070380.tif 000005
【図４】
2011070380.tif 000006
【図５】
2011070380.tif 000007
【図６】
2011070380.tif 000008